(57)【要約】      （修正有）【課題】異方性導電フィルムは、テープ状に製造された後、テープリールに巻かれる。生産ラインの管理が便利になるように、テープリールの部品数、スペック及び種類を削減する斬新な結合構造のテープリールを提供する。【解決手段】回転によって第２のリールディスク１２０上の第３の結合構造１２４が選択的に第１のリールディスク１１０上に高さの異なる第１の結合構造１１４、又は第２の結合構造１１６に係合され、第１のリールディスクと第２のリールディスクが結合され、第１のリールディスクと第２のリールディスクとの間の間隔を変えることによって、異なる幅の配置に対応して、二種類以上の幅の異なるテープをテープリール１００に置くことができる。【選択図】図１
2012025490.tif 000002
【特許請求の範囲】
【請求項１】
テープリールであって、
第１の中心開口を有し、互いに高さが異なり、前記第１の中心開口の周囲に位置する複数の第１の結合構造と複数の第２の結合構造を含む第１のリールディスクと、
第２の中心開口を有し、前記第２の中心開口の周囲に位置する複数の第３の結合構造を含む第２のリールディスクと、
を備え、
隣合う前記第１の結合構造の間、および隣合う前記第２の結合構造の間にそれぞれスペースを有し、
前記第１のリールディスク及び前記第２のリールディスクを互いに逆方向に回転させて前記第３の結合構造を選択的に前記第１の結合構造又は前記第２の結合構造に結合させ、前記第３の結合構造が前記第１の結合構造に結合される時に、前記第１のリールディスクと前記第２のリールディスクとの間に第１の間隔が保持され、前記第３の結合構造が前記第２の結合構造に結合される時に、前記第１のリールディスクと前記第２のリールディスクとの間に第２の間隔が保持されることを特徴とするテープリール。
【請求項２】
前記第３の結合構造の幅は、隣合う前記第１の結合構造間のスペースの幅、及び隣合う前記第２の結合構造間のスペースの幅よりも小さいことを特徴とする請求項１に記載のテープリール。
【請求項３】
前記第１の結合構造及び前記第２の結合構造は凹溝であり、前記第３の結合構造はバンプであることを特徴とする請求項１または２に記載のテープリール。
【請求項４】
前記第１の結合構造及び前記第２の結合構造はバンプであり、前記第３の結合構造は凹溝であることを特徴とする請求項１または２に記載のテープリール。
【請求項５】
前記凹溝は、
上ガイドレールと、
前記上ガイドレールより長い下ガイドレールと
を含むことを特徴とする請求項３または４に記載のテープリール。
【請求項６】
前記バンプは突起状ストッパを含むことを特徴とする請求項３から５の何れか１項に記載のテープリール。
【請求項７】
前記第１の結合構造及び前記第２の結合構造は上弾性片であり、前記第３の結合構造は下弾性片であることを特徴とする請求項１または２に記載のテープリール。
【請求項８】
前記上弾性片は位置決め凹みを有し、前記下弾性片は位置決め突起を有することを特徴とする請求項７に記載のテープリール。
【請求項９】
前記第１の結合構造及び前記第２の結合構造はガイド溝であり、前記第３の結合構造は弾性アームであることを特徴とする請求項１または２に記載のテープリール。
【請求項１０】
前記ガイド溝は位置決めフランジを有し、前記弾性アームは位置決め欠け口を有することを特徴とする請求項９に記載のテープリール。
【請求項１１】
第１の中心開口を有し、前記第１の中心開口の周囲に設けられた複数の第１の結合構造を含む第１のリールディスクと、
第２の中心開口を有し、前記第２の中心開口の周囲に設けられた複数の第３の結合構造を含む第２のリールディスクと
を備え、
前記第１のリールディスク及び前記第２のリールディスクを互いに逆方向に回転して前記第３の結合構造を前記第１の結合構造に結合させ、前記第１のリールディスクと前記第２のリールディスクの位置を決めすることを特徴とするテープリール。
【請求項１２】
前記第１の結合構造は凹溝であり、前記第３の結合構造はバンプであることを特徴とする請求項１１に記載のテープリール。
【請求項１３】
前記第１の結合構造は上弾性片であり、前記第３の結合構造は下弾性片であることを特徴とする請求項１１に記載のテープリール。
【請求項１４】
前記第１の結合構造はガイド溝であり、前記第３の結合構造は弾性アームでることを特徴とする請求項１１に記載のテープリール。
【発明の詳細な説明】
【技術分野】
【０００１】
本発明は収納ツールに関し、特にテープリールに関する。
【背景技術】
【０００２】
異方性導電フィルム(Ａｎｉｓｏｔｒｏｐｉｃ  Ｃｏｎｄｕｃｔｉｖｅ  Ｆｉｌｍ；ＡＣＦ)は、内部に導電粒子が入れられる絶縁性ペーストとして、印刷基板(Ｐｒｉｎｔｅｄ  Ｃｉｒｃｕｉｔ  Ｂｏａｒｄ；ＰＣＢ)や、液晶ディスプレーガラス基盤、集積回路チップ、フレキシブルプリント基板(Ｆｌｅｘｉｂｌｅ  Ｐｒｉｎｔｅｄ  Ｃｉｒｃｕｉｔ  Ｂｏａｒｄ；ＦＰＣ)等に、電気的結合に幅広く利用されている。
【発明の概要】
【発明が解決しようとする課題】
【０００３】
保存及び使用の利便性を考量して、一般的に、異方性導電フィルムは、テープ状に製造された後、テープリールに巻かれる。従来のテープリールは、主に複数枚(３枚以上)のディスクを積み重ねて、最後に超音波スポット溶接によって結合されてできたもの、又は上下２つのディスクが軸方向に沿って結合されてできたものであるため、それらの間隔が固定され、変動する可能性がない。しかしながら、クライアントの要求に応じて異なる幅の異方性導電フィルムが製造され、異なる幅の異方性導電フィルムに対応してテープリールを設計すれば、保管上の不便をもたらし、保存コストも増加する。
【０００４】
このため、生産ラインの管理が便利になるように、テープリールの部品数、スペック及び種類を削減することが重要な課題となる。
【課題を解決するための手段】
【０００５】
したがって、本発明は、斬新な結合構造のテープリールを提供することを目的とする。
【０００６】
また、本発明は、二種以上の異なる幅のテープを収納するための、ディスク間の間隔が変更可能なテープリールを提供することを目的とする。
【０００７】
本発明に係るテープリールの一実施形態は、テープリールであって、第１の中心開口を有し、互いに高さが異なって、第１の中心開口の周囲に位置する複数の第１の結合構造と複数の第２の結合構造を含む第１のリールディスクと、第２の中心開口を有し、第２の中心開口の周囲に位置する複数の第３の結合構造を含む第２のリールディスクとを備え、隣合う第１の結合構造の間に、及び隣合う第２の結合構造の間に、それぞれスペースを有し、第１のリールディスク及び第２のリールディスクを互いに逆方向に回転させて、第３の結合構造を選択的に第１の結合構造、又は第２の結合構造に結合させ、第３の結合構造が第１の結合構造に結合される時に、第１のリールディスクと第２のリールディスクとの間に第１の間隔が保持され、第３の結合構造が第２の結合構造に結合される時に、第１のリールディスクと第２のリールディスクとの間に第２の間隔が保持されることを特徴とするテープリールである。
【０００８】
このとき、第３の結合構造の幅は、隣合う第１の結合構造の間のスペースの幅、及び隣合う第２の結合構造の間のスペースの幅より小さいことが好ましい。また、第１の結合構造及び第２の結合構造は凹溝で、第３の結合構造はバンプであってもよく、第１の結合構造及び第２の結合構造はバンプで、第３の結合構造は凹溝であってもよい。前記凹溝は上ガイドレールと、前記上ガイドレールより長い下ガイドレールとを含むことが好ましく、前記バンプは突起状ストッパを更に含むことが好ましい。また、第１の結合構造及び第２の結合構造は上弾性片で、第３の結合構造は下弾性片であってよく、前記上弾性片は位置決め凹みを有し、前記下弾性片は位置決め突起を有してよい。また、第１の結合構造及び第２の結合構造はガイド溝で、第３の結合構造は弾性アームであってよく、ガイド溝は位置決めフランジを有し、弾性アームはそれぞれ位置決め欠け口を有してよい。
【０００９】
本発明に係るテープリールは、回転によって第２のリールディスク上の第３の結合構造が選択的に第１のリールディスク上に高さの異なる第１の結合構造、又は第２の結合構造に係合され、第１のリールディスクと第２のリールディスクが結合され、第１のリールディスクと第２のリールディスクとの間の間隔を変えることによって、異なる幅の配置に対応して、二種類以上の幅の異なるテープをテープリールに置くことができ、管理の順応性が広がる。
【図面の簡単な説明】
【００１０】
本発明の目的、特徴、利点及び実施形態を更に分かり易くするように、付属する図面を以下のように詳細に説明する。
【図１】本発明に係るテープリールの第１の実施形態を示す分解図である。
【図２】本発明に係るテープリールの第２の実施形態の一部を示す側面図である。
【図３】本発明に係るテープリールの第３の実施形態の一部を示す平面図である。
【発明を実施するための形態】
【００１１】
以下、図面を参照しながら、本発明を詳細に説明する。当該技術分野に属する通常知識を持つものであれば、本発明の好ましい実施形態を理解した後、本発明に教示された技術を変更、修飾することができるが、これらの変更、修飾は本発明の精神及び範囲から逸脱するものではない。
【００１２】
本発明によれば、回転結合の方式によって結合される斬新なテープリール、且つ異なる高さの結合機構を更に増加することができ、ディスク間の間隔が調整可能なテープリールが開示され、一種類又は二種類、更に二種類以上の異なる幅のテープに前記テープリールを応用すれば、生産現場におけるテープリールの数、スペック及び種類が減らされ、管理コストを低減することができる。
【００１３】
図１は、本発明に係るテープリールの第１の実施形態の分解図を示す。テープリール１００は、第１のリールディスク１１０及び第２のリールディスク１２０を含む。第１のリールディスク１１０は第１の中心開口１１２を含み、第２のリールディスク１２０は第２の中心開口１２２を含む。テープリール１００は第１の中心開口１１２及び第２の中心開口１２２によって保持機構に保持される。
【００１４】
第１のリールディスク１１０は、複数の第１の結合構造１１４及び複数の第２の結合構造１１６を含み、第１の結合構造１１４と第２の結合構造１１６が互いに交替して、第１の結合構造１１４と第２の結合構造１１６との間にスペース１１８を置いて第１の中心開口１１２の周囲に設けられる。第１の結合構造１１４が第１のリールディスク１１０の軸方向に第１の高度に設けられ、第２の結合構造１１６が第１のリールディスク１１０の軸方向に第２の高度に設けられ、第１のリールディスク１１０の軸方向に沿って第１の結合構造１１４と第２の結合構造１１６との間の高さが異なる。
【００１５】
第２のリールディスク１２０は、複数の第３の結合構造１２４を含み、本実施形態において第３の結合構造１２４が第２の中心開口１２２の外周に設けられており、第３の結合構造１２４の幅が第１の結合構造１１４と第２の結合構造１１６との間のスペース１１８より小さい。第３の結合構造１２４の数は第１の結合構造１１４と第２の結合構造１１６の数と同じであることが好ましい。即ち、第１の結合構造１１４、第２の結合構造１１６及び第３の結合構造１２４の数が同じであることが好ましい。また、隣合う２つの第３の結合構造１２４が成す角度は、隣合う２つの第１の結合構造１１４が成す角度と同じであることが好ましく、隣合う２つの第３の結合構造１２４が成す角度は、隣合う２つの第２の結合構造１１６間が成す角度と同じであることが好ましい。本実施形態において、第１の結合構造１１４、第２の結合構造１１６及び第３の結合構造１２４の数がそれぞれ２つであって、隣合う２つの第１の結合構造１１４、隣合う２つの第２の結合構造１１６及び隣合う２つの第３の結合構造１２４が成す角度は約１８０度である。
【００１６】
第１のリールディスク１１０及び第２のリールディスク１２０を互いに逆方向に回転させて第１のリールディスク１１０と第２のリールディスク１２０を結合させる時に、実際の状況に応じて第３の結合構造１２４を選択的にスペース１１８に入らせ、第１の結合構造１１４又は第２の結合構造１１６に結合させる。第３の結合構造１２４が第１の結合構造１１４に結合される時に、第１のリールディスク１１０と第２のリールディスク１２０との間に第１の間隔が保持され、第３の結合構造１２４が第２の結合構造１１６に結合される時に、第１のリールディスク１１０と第２のリールディスク１２０との間に第２の間隔が保持される。前記第１の間隔と第２の間隔とが異なるので、テープリール１００を用いて幅の異なる二種類のテープを収納することができる。
【００１７】
本実施形態において、第１の結合構造１１４及び第２の結合構造１１６は凹溝であり、第３の結合構造１２４はバンプである。各凹溝は上ガイドレール１３２及び下ガイドレール１３４を含み、第３の結合構造１２４が上ガイドレール１３２と下ガイドレール１３４との間に結合される。第３の結合構造１２４の厚さは上ガイドレール１３２と下ガイドレール１３４との間の間隙と同じであってよい。本実施形態において、第３の結合構造１２４、上ガイドレール１３２及び下ガイドレール１３４の材料として、弾性を有するプラスチックが用いられるため、第３の結合構造１２４の幅は上ガイドレール１３２と下ガイドレール１３４との間の間隙に近くてよい。また、第３の結合構造１２４が上ガイドレール１３２と下ガイドレール１３４との間にスムースに滑るために、上ガイドレール１３２の幅は下ガイドレール１３４の幅よりやや小さいことが好ましい。また、第３の結合構造１２４は、更に突起状ストッパ１３６を含み、突起状ストッパ１３６は、第３の結合構造１２４のバンプの底に位置し、第１のリールディスク１１０及び第２のリールディスク１２０の位置を決める役割として、組み立てる時に、上ガイドレール１３２に当接する。
【００１８】
第１の結合構造１１４及び第２の結合構造１１６の凹溝は、ねじ山のような構造にしてよく、回転によってバンプを凹溝に結合させる。実際の状況に応じて、第３の結合構造１２４を選択的に第１の結合構造１１４又は第２の結合構造１１６に結合させ、異なるテープの幅に合わせて第１のリールディスク１１０と第２のリールディスク１２０との間の間隔を変えることができる。
【００１９】
前記実施形態に開示された第１の結合構造１１４及び第２の結合構造１１６は凹溝であり、第３の結合構造１２４はバンプであるが、他の実施形態において、第１の結合構造１１４及び第２の結合構造１１６はバンプであり、第３の結合構造１２４は凹溝であってもよく、ここでは詳しい説明を省略する。
【００２０】
図２は、本発明に係るテープリール第２の実施形態の一部を示す側面図である。前述のように、テープリール２００は、第１のリールディスク２１０及び第２のリールディスク２２０を含み、第１のリールディスク２１０は、複数の第１の結合構造及び複数の第２の結合構造を含む。第１の結合構造と第２の結合構造が互いに交替して設けられており、第１の結合構造と第２の結合構造の高さが異なる。第２のリールディスク２２０は、複数の第３の結合構造を有し、必要に応じて、第３の結合構造を選択的に第１の結合構造又は第２の結合構造に結合させる。第３の結合構造が第１の結合構造に結合される時に、第１のリールディスク２１０と第２のリールディスク２２０との間に第１の間隔が保持され、第３の結合構造が第２の結合構造に結合される時に、第１のリールディスク２１０と第２のリールディスク２２０との間に第２の間隔が保持される。
【００２１】
図２のテープリール２００の中心開口箇所の側面図に示すように、本実施形態において、第１の結合構造及び第２の結合構造は上弾性片２３０であり、第３の結合構造は下弾性片２４０である。また、上弾性片２３０は位置決め凹み２３２を含み、下弾性片２４０は位置決め突起２４２を含む。第１のリールディスク２１０と第２のリールディスク２２０を互いに逆方向に回転させて、第３の結合構造を選択的に第１の結合構造又は第２の結合構造に結合させる時に、下弾性片２４０の位置決め突起２４２と対応する上弾性片２３０の位置決め凹み２３２が結合することによって、第１のリールディスク２１０及び第２のリールディスク２２０の位置が決められる。
【００２２】
図３は、本発明に係るテープリールの第３の実施形態の一部を示す平面図である。前述のように、テープリール３００は第１のリールディスク３１０及び第２のリールディスク３２０を含み、第１のリールディスク３１０は複数の第１の結合構造及び複数の第２の結合構造を含む。第１の結合構造と第２の結合構造が互に交替して設けられており、第１の結合構造と第２の結合構造との間の高さが異なる。第２のリールディスク３２０は、複数の第３の結合構造を有し、必要に応じて第３の結合構造を選択的に第１の結合構造又は第２の結合構造に結合させる。第３の結合構造が第１の結合構造に結合される時に、第１のリールディスク３１０と第２のリールディスク３２０との間に第１の間隔が保持され、第３の結合構造が第２の結合構造に結合される時に、第１のリールディスク３１０と第２のリールディスク３２０との間に第２の間隔が保持される。
【００２３】
本実施形態において、第１の結合構造及び第２の結合構造はガイド溝３３０であり、第３の結合構造は弾性アーム３４０である。ガイド溝３３０は位置決めフランジ３３２を有し、弾性アーム３４０は位置決め欠け口３４２を有する。第１のリールディスク３１０と第２のリールディスク３２０を互いに逆方向に回転させて、第３の結合構造を選択的に第１の結合構造又は第２の結合構造に結合させる時に、弾性アーム３４０の位置決め欠け口３４２と対応するガイド溝３３０の位置決めフランジ３３２が結合することによって、第１のリールディスク３１０及び第２のリールディスク３２０の位置が決められる。
【００２４】
隣合う２つの第１の結合構造の間にスペースを有し、隣合う２つの第２の結合構造の間にスペースを有し、第２のリールディスク上の第３の結合構造をこれらのスペースに入れて、選択的に第１の結合構造又は第２の結合構造へ滑り込ませ、選択的に第１の結合構造又は第２の結合構造に結合させる。図１に示すように、これらのスペースが隣合う第１の結合構造の間に、及び隣合う第２の結合構造の間に位置する。また、図１に示すように、第１の結合構造と第２の結合構造との間に高さが異なるため、隣合う第１の結合構造の間のスペースと第２の結合構造が重ねて配置され、隣合う第２の結合構造の間のスペースと第１の結合構造が重ねて配置されてよく、または第１の結合構造と第２の結合構造の一部が重ねて配置されてもよい（図示せず）。即ち、第３の結合構造が間隔に入って選択的に第１の結合構造又は第２の結合構造へ滑り込み、結合することができれば、前述配置を多様に変化させることができる。
【００２５】
前述に開示されたテープリールは、第３の結合構造を選択的に第１の結合構造又は第２の結合構造に結合させて第１のリールディスクと第２のリールディスクとの間の間隔を変えるようにするものであるが、本発明に係るテープリールは、必要に応じて、第１のリールディスクに２組以上の高さが異なる結合構造を設け、第１のリールディスクと第２のリールディスクとの間に二種類以上の異なる間隔を有するテープリールであってもよいことに注意されたい。また、必要に応じて第２のリールディスクに適切により多い結合構造を増設し、テープリールを二種類以上の幅のテープに適応させて、使用上の対応性を向上させることができることについては、いうまでも無く、ここでは詳しい説明を省略する。
【００２６】
本発明によれば、斬新な結合機構が提供され、回転によって第１のリールディスクと第２のリールディスクが結合される。前述実施形態において、ディスク間の間隔を変えるテープリール、即ち第１のリールディスクに二種類又は二種類以上の高さが異なる結合構造を有するテープリールを主として説明したが、実際に応用する場合、テープリールのディスク間の間隔を調整する必要がない場合は、第１のリールディスクに１種類の高さの結合構造のみを設け、回転によって第１のリールディスクと第２のリールディスクをすばやく結合してなるテープリールを構成してもよい。
【００２７】
上述本発明の好ましい実施形態により、本発明によれば、下記の利点を有する。本発明に係るテープリールは、回転によって第１のリールディスクと第２のリールディスクが結合され、第２のリールディスク上の第３の結合構造が選択的に第１のリールディスク上の高さの異なる第１の結合構造又は第２の結合構造に係合されることによって、第１のリールディスクと第２のリールディスクとの間の間隔を変え、二種類又は二種類以上の幅の異なるテープをテープリールに置くことができ、在庫管理の順応性が更に広がる。
【００２８】
前記によって好ましい実施例が開示されたが、本発明はこれに限定されるものではない。当該技術分野を熟知しているものであれば、本発明の精神及び範囲から逸脱しない限り、各種の変更及び修飾することができる。本発明は、特許請求の範囲の記載によって限定される。
【符号の説明】
【００２９】
１００：テープリール  
１１０：第１のリールディスク  
１１２：第１の中心開口  
１１４：第１の結合構造  
１１６：第２の結合構造  
１１８：スペース  
１２０：第２のリールディスク  
１２２：第２の中心開口  
１２４：第３の結合構造  
１３２：上ガイドレール  
１３４：下ガイドレール  
１３６：突起状ストッパ  
２００：テープリール  
２１０：第１のリールディスク
２２０：第２のリールディスク  
２３０：上弾性片  
２３２：位置決め凹み  
２４０：下弾性片  
２４２：位置決め突起  
３００：テープリール  
３１０：第１のリールディスク  
３２０：第２のリールディスク  
３３０：ガイド溝  
３３２：位置決めフランジ  
３４０：弾性アーム  
３４２：位置決め欠け口
【図１】
2012025490.tif 000003
【図２】
2012025490.tif 000004
【図３】
2012025490.tif 000005